(57)【要約】【課題】光源と導光体との間の距離の変動をより低減させて、導光体から出射される光の出力変動を抑制させることを目的とする。【解決手段】照明装置は、光源３０と、光源３０からの光が入射される入射面２１を有し、入射面２１から入射された光を被照明体に出射する棒状の導光体２０と、光源３０を入射面２１に対して対面した位置に支持すると共に、導光体２０を係止する係止孔３７を有する基板３５と、基板３５を保持するフレーム１１と、を備え、導光体２０は、長手方向のうち入射面２１側の端部に係止孔３７に係止される係止突部２４が設けられている。【選択図】図７Ａ
2017175289.tif 000002
【特許請求の範囲】
【請求項１】
光源と、
前記光源からの光が入射される入射面を有し、前記入射面から入射された光を被照明体に出射する棒状の導光体と、
前記光源を前記入射面に対して対面した位置に支持すると共に、前記導光体を係止する導光体係止部を有する基板と、
前記基板を保持するフレームと、を備え、
前記導光体は、長手方向のうち前記入射面側の端部に前記導光体係止部に係止される被係止部が設けられていることを特徴とする照明装置。
【請求項２】
前記フレームは、前記基板を係止する基板係止部を有し、
前記基板は、前記光源を支持する支持部を有し、
前記光源が配置される端部側から前記照明装置の長手方向に沿って、前記支持部、前記導光体係止部、前記基板係止部の順に位置していることを特徴とする請求項１に記載の照明装置。
【請求項３】
前記基板と前記フレームとは、長手方向の線膨張係数が異なる材料であることを特徴とする請求項１または２に記載の照明装置。
【請求項４】
前記光源は、前記基板と電気的に接続されていることを特徴とする請求項１ないし３の何れか１項に記載の照明装置。
【請求項５】
光源と、
前記光源からの光が入射される入射面を有し、前記入射面から入射された光を被照明体に出射する棒状の導光体と、
前記被照明体からの光を画像情報へと変換するイメージセンサと、
前記光源を前記入射面に対して対面した位置に支持すると共に、前記導光体を係止する導光体係止部を有し、前記イメージセンサが実装される基板と、
前記基板を保持するフレームと、を備え、
前記導光体は、長手方向のうち前記入射面側の端部に前記導光体係止部に係止される被係止部が設けられていることを特徴とするイメージセンサユニット。
【請求項６】
請求項５に記載のイメージセンサユニットと、
前記イメージセンサユニットと前記被照明体とを相対的に移動させる移動部と、
を有することを特徴とする画像読取装置。
【請求項７】
請求項５に記載のイメージセンサユニットと、
前記イメージセンサユニットと前記被照明体とを相対的に移動させる移動部と、
前記イメージセンサユニットにより読取られた画像を記録媒体に形成する画像形成部と、を有することを特徴とする画像形成装置。
【発明の詳細な説明】
【技術分野】
【０００１】
本発明は、照明装置、イメージセンサユニット、画像読取装置および画像形成装置に関する。
【背景技術】
【０００２】
光源からの光を導光体を介して線状に光を出射して被照明体を照明することで、被照明体から反射された光をイメージセンサに結像させて被照明体の画像を読取るイメージセンサユニットが知られている。特許文献１には、導光体の入射面側の端部に凸状の係止爪が設けられ、フレームに係止爪を係止するための凹状の係止部が設けられたイメージセンサユニットが開示されている。特許文献１のイメージセンサユニットでは、導光体の長手方向における入射面側が固定端となり、入射面の反対側が自由端となる。したがって、環境温度の変化に応じて導光体が長手方向に伸縮しても導光体と光源との間の距離を維持し、漏れ光の発生を防止することができる。
【先行技術文献】
【特許文献】
【０００３】
【特許文献１】特開２０１２−１４２７３８号公報
【発明の概要】
【発明が解決しようとする課題】
【０００４】
しかしながら、特許文献１のイメージセンサユニットでは、光源がセンサ基板に支持され、導光体がフレームに係止されると共に、フレームがセンサ基板を保持している。また、センサ基板とフレームとの線膨張係数は相違している。したがって、環境温度の変化に応じてフレームとセンサ基板との伸縮量が影響して、光源と導光体との間の距離が変動してしまい、導光体から出射される光の出力が変動してしまう虞がある。
【０００５】
本発明は、上述したような問題点に鑑みてなされたものであり、光源と導光体との間の距離の変動をより低減させて、導光体から出射される光の出力変動を抑制する照明装置などを提供することを目的とする。
【課題を解決するための手段】
【０００６】
本発明の照明装置は、光源と、前記光源からの光が入射される入射面を有し、前記入射面から入射された光を被照明体に出射する棒状の導光体と、前記光源を前記入射面に対して対面した位置に支持すると共に、前記導光体を係止する導光体係止部を有する基板と、前記基板を保持するフレームと、を備え、前記導光体は、長手方向のうち前記入射面側の端部に前記導光体係止部に係止される被係止部が設けられていることを特徴とする。
本発明のイメージセンサユニットは、光源と、前記光源からの光が入射される入射面を有し、前記入射面から入射された光を被照明体に出射する棒状の導光体と、前記被照明体からの光を画像情報へと変換するイメージセンサと、前記光源を前記入射面に対して対面した位置に支持すると共に、前記導光体を係止する導光体係止部を有し、前記イメージセンサが実装される基板と、前記基板を保持するフレームと、を備え、前記導光体は、長手方向のうち前記入射面側の端部に前記導光体係止部に係止される被係止部が設けられていることを特徴とする。
本発明の画像読取装置は、上述したイメージセンサユニットと、前記イメージセンサユニットと前記被照明体とを相対的に移動させる移動部と、を有することを特徴とする。
本発明の画像形成装置は、上述したイメージセンサユニットと、前記イメージセンサユニットと前記被照明体とを相対的に移動させる移動部と、前記イメージセンサユニットにより読取られた画像を記録媒体に形成する画像形成部と、を有することを特徴とする。
【発明の効果】
【０００７】
本発明によれば、光源と導光体との間の距離の変動をより低減させて、導光体から出射される光の出力変動を抑制することができる。
【図面の簡単な説明】
【０００８】
【図１】図１は、イメージセンサユニットの分解斜視図である。
【図２】図２は、イメージセンサユニットを備えたＭＦＰの外観を示す斜視図である。
【図３】図３は、ＭＦＰの画像形成部の構造を示す概略図である。
【図４】図４は、イメージセンサユニットの平面図である。
【図５】図５は、イメージセンサユニットの断面図である。
【図６】図６は、イメージセンサユニットの断面図である。
【図７Ａ】図７Ａは、発明例のイメージセンサユニットを説明するための図である。
【図７Ｂ】図７Ｂは、比較例のイメージセンサユニットを説明するための図である。
【図８】図８は、フラットベッド方式のスキャナの構成の一例を示す斜視図である。
【図９】図９は、シートフィード方式のスキャナの構成の一例を示す断面図である。
【発明を実施するための形態】
【０００９】
以下、本発明を適用できる実施形態について、図面を参照して詳細に説明する。
（第１の実施形態）
本実施形態は、イメージセンサユニット１０と、イメージセンサユニット１０が適用される画像読取装置および画像形成装置である。画像読取装置および画像形成装置では、イメージセンサユニット１０が被照明体としての原稿Ｐに光を出射し、反射した光を画像情報に変換することで画像を読取る。
以下の説明においては、三次元の各方向を、Ｘ，Ｙ，Ｚの各矢印で示す。Ｘ方向が主走査方向であり、Ｙ方向が主走査方向に直角な副走査方向であり、Ｚ方向が垂直方向（上下方向）である。
【００１０】
まず、本実施形態に係る画像読取装置または画像形成装置の一例である多機能プリンタ（ＭＦＰ；Ｍｕｌｔｉ  Ｆｕｎｃｔｉｏｎ  Ｐｒｉｎｔｅｒ）の構造について図２を参照して説明する。図２は、ＭＦＰ１００の外観を示す斜視図である。図２に示すように、ＭＦＰ１００は、原稿Ｐからの反射光を読取る画像読取手段としての画像読取部１０２と、記録媒体としてのシート１０１（記録紙）に原稿Ｐの画像を形成（印刷）する画像形成手段としての画像形成部１１３とを備えている。
【００１１】
画像読取部１０２はいわゆるイメージスキャナーの機能を有するものであり、例えば以下のように構成される。画像読取部１０２は、筐体１０３と、原稿載置部としてのガラス製の透明板からなるプラテンガラス１０４と、原稿Ｐを覆うことができるように筐体１０３に対して開閉自在に設けられるプラテンカバー１０５とを備えている。
筐体１０３の内部には、照明装置を備えたイメージセンサユニット１０、保持部材１０６、スライドシャフト１０７、駆動モータ１０８、ワイヤ１０９、信号処理部１１０、回収ユニット１１１、給紙トレイ１１２などが収納されている。
【００１２】
イメージセンサユニット１０は、例えば密着型イメージセンサ（ＣＩＳ；Ｃｏｎｔａｃｔ  Ｉｍａｇｅ  Ｓｅｎｓｏｒ）ユニットである。保持部材１０６は、イメージセンサユニット１０を囲むように保持する。スライドシャフト１０７は、保持部材１０６をプラテンガラス１０４に沿って副走査方向に案内する。駆動モータ１０８は、イメージセンサユニット１０と原稿Ｐとを相対的に移動させる移動部であり、具体的には保持部材１０６に取り付けられたワイヤ１０９を動かす。回収ユニット１１１は筐体１０３に対して開閉自在に設けられ、印刷されたシート１０１を回収する。給紙トレイ１１２は、所定のサイズのシート１０１を収容する。
【００１３】
上述したように構成される画像読取部１０２では、駆動モータ１０８がスライドシャフト１０７に沿ってイメージセンサユニット１０を副走査方向に移動させる。この際、イメージセンサユニット１０はプラテンガラス１０４上に載置された原稿Ｐを光学的に読取って、画像情報に変換することで、画像の読取り動作を行う。
【００１４】
図３は画像形成部１１３の構造を示す概略図である。
画像形成部１１３はいわゆるプリンタの機能を有するものであり、例えば以下のように構成される。画像形成部１１３は筐体１０３内部に収容されており、図３に示すように、搬送ローラ１１４と、記録ヘッド１１５とを備えている。記録ヘッド１１５は、例えばシアンＣ、マゼンタＭ、イエローＹ、黒Ｋのインクを備えたインクタンク１１６（１１６ｃ，１１６ｍ，１１６ｙ，１１６ｋ）と、これらのインクタンク１１６にそれぞれ設けられた吐出ヘッド１１７（１１７ｃ，１１７ｍ，１１７ｙ，１１７ｋ）から構成される。また、画像形成部１１３は、記録ヘッドスライドシャフト１１８、記録ヘッド駆動モータ１１９、記録ヘッド１１５に取り付けられたベルト１２０を有している。
【００１５】
上述したように構成される画像形成部１１３では、給紙トレイ１１２から供給されたシート１０１は、搬送ローラ１１４によって記録位置まで搬送される。記録ヘッド１１５は、記録ヘッド駆動モータ１１９によりベルト１２０を機械的に動かすことで、記録ヘッドスライドシャフト１１８に沿って印刷方向（副走査方向）に移動しつつ画像情報を基にシート１０１に対して印刷を行う。印刷終了まで上述した動作を繰り返した後、印刷されたシート１０１は搬送ローラ１１４によって回収ユニット１１１に排出される。
なお、画像形成部１１３としてインクジェット方式による画像形成装置を説明したが、電子写真方式、熱転写方式、ドットインパクト方式などどのような方式であっても構わない。
【００１６】
次に、本実施形態のイメージセンサユニット１０の構成について図面を参照して説明する。図１は、イメージセンサユニット１０の分解斜視図である。図４は、イメージセンサユニット１０の平面図である。図５は、図４に示すＩ−Ｉ線断面図である。図６は、図４に示すＩＩ−ＩＩ線断面図である。
【００１７】
イメージセンサユニット１０は、フレーム１１、導光体２０、光源３０、基板３５、イメージセンサ４０、集光体４２、コネクタ４５などを備える。上述した構成部材のうち、フレーム１１、導光体２０、光源３０および基板３５からなる構成は、照明部の一例であって、照明装置として機能する。また、上述した構成部材のうち、フレーム１１、導光体２０、基板３５、イメージセンサ４０および集光体４２は、読取る原稿Ｐの主走査方向の寸法に応じた長さに形成される。
【００１８】
フレーム１１は、イメージセンサユニット１０の各構成部材を収容する。フレーム１１は、主走査方向を長手方向とする略直方体であり、内部に各構成部材を位置決めして保持できるように形成される。
図５に示すように、フレーム１１には、導光体２０を収容する導光体収容部１２が主走査方向に沿って形成される。また、図１に示すように、フレーム１１の導光体収容部１２には主走査方向に間隔をあけて、導光体２０を着脱自在に支持する保持部１３が複数、形成される。保持部１３は、導光体２０の一部を押圧することで導光体２０が導光体収容部１２から抜け出ないように保持する。一方、保持部１３は導光体２０が主走査方向に沿って摺動することを許容する。
【００１９】
また、フレーム１１には、導光体収容部１２に隣接して集光体４２を収容する集光体収容部１４が主走査方向に形成される。また、フレーム１１には、導光体収容部１２および集光体収容部１４の下側に、基板３５を収容するための基板収容部１５が主走査方向に沿ってフレーム１１の下面から凹状に形成される。導光体収容部１２と基板収容部１５との間は、隔壁部１６によって区分けされる。一方、集光体収容部１４と基板収容部１５との間はフレーム１１の長手方向に沿ったスリット溝１７が形成される。また、図５に示すように、隔壁部１６には基板３５と係止する突起部１８（基板係止部）が一体で形成される。突起部１８はフレーム１１の主走査方向に対して直交する方向、ここでは基板収容部１５に向かって突出する。本実施形態では、フレーム１１は主走査方向に離れた位置に複数（図示しない２つ）の突起部１８を有する。更に、図６に示すように、隔壁部１６には導光体２０の後述する係止突部２４が挿通する貫通孔１６ａが形成される。貫通孔１６ａは、導光体収容部１２と基板収容部１５とを連通させる。貫通孔１６ａの孔径は係止突部２４よりも大きく、係止突部２４が挿通された状態において主走査方向に隙間がある。また、図１に示すように、フレーム１１の主走査方向における一方側には、光源３０が配置される光源収容部１９が形成される。
フレーム１１は、例えば、黒色に着色された遮光性を有する樹脂材料により形成される。樹脂材料には、例えば黒色のポリカーボネートが適用できる。
【００２０】
導光体２０は、光源３０が発光する光を原稿Ｐへと導く。導光体２０は、主走査方向を長手方向とする棒状であり、導光体収容部１２に収容される。導光体２０は例えば、アクリルやポリカーボネートなどの透明な樹脂材料により形成される。
図１に示すように、導光体２０は、主走査方向における一方側の端面に光源３０からの光を入射させる入射面２１が形成される。また、導光体２０は、原稿Ｐと対面する面に導光体２０内に入射された光を原稿Ｐに向かって出射させる曲面状の出射面２２が形成される。また、導光体２０は、出射面２２と対向する面に入射面２１から入射された光を反射および拡散させる平面状の拡散面２３が形成される。拡散面２３は、例えばシルク印刷などによる光反射性の塗料からなる光拡散パターンが形成されている。入射面２１から入射された光は光拡散パターンによって拡散されることで、出射面２２から出射され原稿Ｐに線状の光が照射される。
【００２１】
導光体２０は、主走査方向における入射面２１側の端部に係止突部２４（導光体２０側の被係止部）を有する。具体的に、係止突部２４は導光体２０の拡散面２３から導光体２０の長手方向に対して直交する方向、ここでは基板３５に向かって突出する。係止突部２４は、基板３５の後述する係止孔３７に係止される。したがって、導光体２０は、主走査方向における一方側の端部が固定端となり、他方側の端部が何れにも係止されていないために自由端となる。
【００２２】
光源３０は、光を発光することで導光体２０を介して原稿Ｐに光を照射する。光源３０は、基板３５に支持された状態でフレーム１１の光源収容部１９に収容される。光源３０がフレーム１１に収容された状態では、導光体２０の入射面２１と隙間を介して対面する。光源３０は例えば、ＬＥＤパッケージ３１が用いられる。ＬＥＤパッケージ３１は、略矩形状に形成された筐体３２と、筐体３２から突出する複数のリード端子３３とを備えている。筐体３２は、導光体２０の入射面２１と対面する面に発光素子としてのＬＥＤチップ３４を複数、透明樹脂によって封止した状態で支持する。ＬＥＤチップ３４には赤、緑、青、赤外、紫外などの発光波長を有するＬＥＤチップを用いることができる。赤外、紫外の発光波長を有するＬＥＤチップを用いるのは、セキュリティのために不可視インクが施された原稿Ｐを読取るためである。
なお、図５には、導光体２０に対する光源３０の配置が理解できるように、ＬＥＤパッケージ３１およびＬＥＤチップ３４を想像線（二点鎖線）で図示している。
【００２３】
基板３５は、ＬＥＤチップ３４を発光させるための駆動回路やイメージセンサ４０などを実装する。基板３５は、長手方向を主走査方向とする平板状に形成され、フレーム１１の基板収容部１５に収容される。基板３５は例えば、ガラスエポキシ基板が用いられる。また、基板３５の主走査方向における一方側の端部には、ＬＥＤパッケージ３１のリード端子３３を支持する端子孔３６（支持部）が形成されると共に、係止突部２４を係止する係止孔３７（導光体係止部）が形成される。係止孔３７は、端子孔３６に近接した位置であって、端子孔３６よりも基板３５の長手方向における中央側に位置する。また、係止孔３７の孔径は係止突部２４の形状に略合致する。したがって、係止突部２４が係止孔３７に挿入されることで導光体２０と基板３５との間の主走査方向における相対的な位置が保持される。
更に、基板３５には、フレーム１１の突起部１８が挿入される挿入孔３８（基板３５側の被係止部）が形成される。本実施形態では、基板３５は主走査方向に離れた位置に複数（２つ）の挿入孔３８ａ、３８ｂを有する。主走査方向における一方側の挿入孔３８ａの形状は突起部１８の形状に略合致する。一方、主走査方向における他方側の挿入孔３８ｂの形状は突起部１８の形状に対して大きく、主走査方向に沿った長孔状である。したがって、主走査方向における一方側の突起部１８が挿入孔３８ａに挿入されることで、フレーム１１と基板３５とが係止され、主走査方向における一方側での相対的な位置が保持される。一方、主走査方向における他方側の図示しない突起部１８が長孔状の挿入孔３８ｂに挿入された状態では、フレーム１１と基板３５との線膨張係数により両者の伸縮量に差が生じても突起部１８が挿入孔３８ｂ内を移動することができる。
【００２４】
イメージセンサ４０は、原稿Ｐから反射され集光体４２によって結像された反射光を受光して画像情報に変換する。イメージセンサ４０は集光体４２の光軸の延長線上に配置されるように、基板３５が基板収容部１５内に保持される。イメージセンサ４０は、イメージセンサユニット１０の読取りの解像度に応じた複数の受光素子（光電変換素子）から構成されるイメージセンサＩＣ４１の所定数を基板３５の実装面上に主走査方向に直線状に配列して実装される。なお、イメージセンサ４０は、原稿Ｐから反射された反射光を画像情報に変換できればよく、公知の各種イメージセンサＩＣを用いることができる。
【００２５】
集光体４２は、原稿Ｐからの光をイメージセンサ４０に結像する。集光体４２は、例えば複数の正立等倍結像型の結像素子（ロッドレンズ）が主走査方向に直線状に配列されるロッドレンズアレイが適用できる。なお、集光体４２は、イメージセンサ４０上に結像できればよく、上述した構成に限定されない。集光体４２には各種マイクロレンズアレイなど、従来公知の各種集光機能を有する光学部材が適用できる。
コネクタ４５は、ＭＦＰ１００に対して電力や画像情報を送受信するケーブルが接続される。本実施形態のコネクタ４５は、基板３５の主走査方向における一方側の下面に固定される。なお、コネクタ４５は、イメージセンサユニット１０とＭＦＰ１００等の所定の機器とを、電力や画像情報を送受信可能に接続できる構成であればよい。
【００２６】
次に、上述したように構成されるイメージセンサユニット１０の組み立て方法について説明する。まず、基板３５に対して予め、イメージセンサ４０、コネクタ４５、駆動回路などを所定の位置に実装したり、端子孔３６に光源３０のリード端子３３を支持させて電気的に接続したりすることで組み立ての準備をする。
次に、導光体２０をフレーム１１の上側から導光体収容部１２に挿入して保持部１３に保持させる。このとき、導光体２０の一方側の端部に形成された係止突部２４をフレーム１１の隔壁部１６の貫通孔１６ａに挿通させて、基板収容部１５側に露出させる。次に、集光体４２をフレーム１１の上側から集光体収容部１４に挿入して、例えば接着剤を用いて集光体収容部１４に固定する。
【００２７】
次に、光源３０を実装した基板３５をフレーム１１の下側から基板収容部１５に挿入して固定する。このとき、基板３５の係止孔３７に導光体２０の係止突部２４を挿入すると共に、基板３５の挿入孔３８ａ、３８ｂにフレーム１１の突起部１８をそれぞれ挿入する。したがって、導光体２０は基板３５に対して係止されると共に、基板３５はフレーム１１に対して係止される。このとき、光源３０は光源収容部１９内に収容され、ＬＥＤチップ３４が導光体２０の入射面２１と対面する。また、必要に応じて突起部１８の先端を熱かしめすることで基板３５がフレーム１１に固定され、イメージセンサユニット１０が製造される。
【００２８】
上述したように構成されるイメージセンサユニット１０では、光源３０を発光させることにより、図５および図６に示すように、導光体２０から原稿Ｐの下面に対して矢印Ｒに示すように光を出射する。したがって、原稿Ｐには読取ラインＳ（主走査方向）に沿って線状に光が出射される。この光は原稿Ｐによって反射されることで、集光体４２を介して光がイメージセンサ４０上に結像される。イメージセンサ４０は、結像された光を画像情報に変換することで、原稿Ｐの下面の画像を読取ることができる。
【００２９】
イメージセンサ４０が光を１走査ライン分読取ることで、原稿Ｐの主走査方向における１走査ラインの読取り動作を完了する。１走査ラインの読取り動作終了後、原稿Ｐの副走査方向への相対的な移動に伴い、上述する動作と同様に次の１走査ライン分の読取り動作が行われる。このようにイメージセンサユニット１０が副走査方向に移動しながら１走査ライン分ずつ読取り動作を繰り返すことで、原稿Ｐの全面が順次走査されることで画像の読取りが行われる。
【００３０】
次に、上述したように構成されるイメージセンサユニット１０において、光源３０と、導光体２０の入射面２１との間の距離の変動を低減する作用について図７Ａおよび図７Ｂを参照して説明する。
図７Ａは、発明例のイメージセンサユニット１０を示す断面図であり、図４に示すＩＩＩ−ＩＩＩ線断面図である。発明例のイメージセンサユニット１０は、導光体２０の入射面２１側の端部に設けられた係止突部２４が基板３５の係止孔３７に挿入されることで、基板３５が導光体２０を係止する。
図７Ｂは、比較例のイメージセンサユニット５０を示す断面図である。ここで、比較例のイメージセンサユニット５０は、発明例のイメージセンサユニット１０において導光体２０を係止する構成が異なる。具体的には、比較例のイメージセンサユニット５０は、導光体２０の入射面２１側の端部に設けられた係止爪２５がフレーム１１の図示しない凹溝の係止部に係止している。したがって、フレーム１１が導光体２０を係止する。
【００３１】
ここで、環境温度が変化した場合に、発明例のイメージセンサユニット１０と比較例のイメージセンサユニット５０とにおいて、光源３０と、導光体２０の入射面２１との間の距離Ｌｇに与える影響について検討する。
ここでは、フレーム１１はポリカーボネートとＡＢＳとをブレンドさせてフィラー材を添加した樹脂材料であり、主走査方向の線膨張係数が略３．２×１０-5／℃である。また、基板３５はガラスエポキシ基板であり、主走査方向の線膨張係数が略１．３×１０-5／℃である。なお、導光体２０の長手方向における入射面２１側が固定端であり、環境温度の変化に応じた導光体２０の伸縮が、光源３０と導光体２０との間の距離Ｌｇに与える影響としては少ないために、導光体２０の線膨張係数は省略する。
【００３２】
まず、図７Ｂに示す比較例のイメージセンサユニット５０の距離Ｌｇの変動は、主に、係止爪２５の位置に相当する凹状の係止部から突起部１８までの距離Ｌ１におけるフレーム１１の伸縮量と、挿入孔３８ａから端子孔３６までの距離Ｌ２における基板３５の伸縮量とに依存する。ここで、フレーム１１と基板３５との線膨張係数が同一であれば、環境温度の変化が生じても距離Ｌ１と距離Ｌ２との伸縮量は略同じであるために、距離Ｌｇの変動は僅かである。しかしながら、フレーム１１と基板３５との線膨張係数が異なることから、環境温度が変化した場合に距離Ｌ１と距離Ｌ２との伸縮量が異なってしまい、距離Ｌｇが変動してしまう。
【００３３】
一方、図７Ａに示す発明例のイメージセンサユニット１０の距離Ｌｇの変動は、主に、係止孔３７から端子孔３６までの距離Ｌ３における基板３５の伸縮量に依存する。すなわち、距離Ｌｇの変動は、フレーム１１の伸縮量に影響されない。したがって、基板３５よりも線膨張係数が大きいフレーム１１の影響を除外できることから、距離Ｌｇの変動を抑制することができる。
また、導光体２０の係止突部２４は、導光体２０の主走査方向における入射面２１側の端部に形成されている。したがって、係止突部２４を係止する係止孔３７と端子孔３６とが近接して、距離Ｌ３を短くすることができる。距離Ｌ３を短くすることで、環境温度の変化に対する基板３５の伸縮量を低減でき、距離Ｌｇの変動をより抑制することができる。
【００３４】
このように、本実施形態のイメージセンサユニット１０の導光体２０は、基板３５に係止される係止突部２４を設けたことで、フレーム１１の環境温度の変化に応じたフレーム１１の伸縮量の影響を除外することができる。したがって、イメージセンサユニット１０における環境温度の変化に応じた光源３０と導光体２０との間の距離の変動を低減することができ、導光体２０から出射される光の出力変動を抑制することができる。
【００３５】
また、本実施形態のイメージセンサユニット１０の導光体２０は、長手方向のうち入射面２１側の端部に係止突部２４を設けたことで、係止突部２４を係止する係止孔３７と端子孔３６との距離を短くすることができる。したがって、環境温度の変化に対する基板３５の伸縮量を低減させることができる。
また、本実施形態のイメージセンサユニット１０は長手方向に沿って、端子孔３６、係止孔３７、突起部１８の順に位置させたことで、端子孔３６と係止孔３７との距離を短くすることができる。したがって、環境温度の変化に対する基板３５の伸縮量を低減させることができる。
【００３６】
また、本実施形態のイメージセンサユニット１０は、光源３０と導光体２０との間の距離はフレーム１１の伸縮量に影響されないために、フレーム１１と基板３５とで線膨張係数が略同一の材料を用いることなく、環境温度の変化に応じた光源３０と導光体２０との間の距離の変動を低減することができる。したがって、フレーム１１と基板３５とで異なる線膨張係数の材料を用いることができる。
【００３７】
また、本実施形態のイメージセンサユニット１０は、導光体２０の係止突部２４がフレーム１１の隔壁部１６の貫通孔１６ａに挿通された状態では、貫通孔１６ａは主走査方向に隙間がある。したがって、環境温度が変化して、フレーム１１と基板３５との間で伸縮量が相違しても、貫通孔１６ａは係止突部２４に対して主走査方向に移動ができることから、フレーム１１や導光体２０に応力が掛かることを防止することができる。
【００３８】
（第２の実施形態）
次に、上述したイメージセンサユニット１０を画像読取装置としてのフラットベッド方式のスキャナ１３０に適用した構成について図８を参照して説明する。
図８は、フラットベッド方式のスキャナ１３０の構成の一例を示す斜視図である。
スキャナ１３０は、筺体１３１と、被照明体載置部としてのプラテンガラス１３２と、イメージセンサユニット１０と、イメージセンサユニット１０を駆動する駆動機構と、回路基板１３３と、プラテンカバー１３４とを有する。プラテンガラス１３２は、ガラスなどの透明板からなり、筺体１３１の上面に取り付けられる。プラテンカバー１３４は、プラテンガラス１３２に載置された原稿Ｐを覆うように、筺体１３１に対してヒンジ機構などを介して開閉可能に取り付けられる。イメージセンサユニット１０と、イメージセンサユニット１０を駆動するための駆動機構と、回路基板１３３とは、筺体１３１内に収容される。
【００３９】
駆動機構は、保持部材１３５と、ガイドシャフト１３６と、駆動モータ１３７と、ワイヤ１３８とを含む。保持部材１３５は、イメージセンサユニット１０を囲むように保持する。ガイドシャフト１３６は、保持部材１３５をプラテンガラス１３２に沿って読取方向（副走査方向）に移動可能にガイドする。駆動モータ１３７と保持部材１３５とはワイヤ１３８を介して連結されており、駆動モータ１３７の駆動力によってイメージセンサユニット１０を保持する保持部材１３５を副走査方向に移動させる。そして、イメージセンサユニット１０は、駆動モータ１３７の駆動力によって副走査方向に移動しながら、プラテンガラス１３２に載置された原稿Ｐを読取る。このように、イメージセンサユニット１０と原稿Ｐとを相対的に移動させながら、原稿Ｐを読取る。
【００４０】
回路基板１３３には、イメージセンサユニット１０が読取った画像に所定の画像処理を施す画像処理回路や、イメージセンサユニット１０を含むスキャナ１３０の各部を制御する制御回路や、スキャナ１３０の各部に電力を供給する電源回路などが構築される。
【００４１】
（第３の実施形態）
次に、上述したイメージセンサユニット１０を画像読取装置としてのシートフィード方式のスキャナ１４０に適用した構成について図９を参照して説明する。
図９は、シートフィールド方式のスキャナ１４０の構成の一例を示す断面図である。
スキャナ１４０は、筺体１４１と、イメージセンサユニット１０と、搬送ローラ１４２と、回路基板１４３とを有する。搬送ローラ１４２は、図示しない駆動機構によって回転し、原稿Ｐを挟んで搬送する。回路基板１４３には、イメージセンサユニット１０を含むスキャナ１４０の各部を制御する制御回路や、スキャナ１４０の各部に電力を供給する電源回路などが構築される。
【００４２】
そして、スキャナ１４０は、搬送ローラ１４２によって原稿Ｐを読取り方向（副走査方向）に搬送しつつ、イメージセンサユニット１０により原稿Ｐを読取る。すなわち、イメージセンサユニット１０と原稿Ｐとを相対的に移動させながら、原稿Ｐを読取る。なお、図９では、原稿Ｐの片面を読取るスキャナ１４０の例を示すが、２つのイメージセンサユニット１０が原稿Ｐの搬送経路を挟んで対向するように設けられ、原稿Ｐの両面を読取る構成であってもよい。
【００４３】
以上、本発明を上述した実施形態と共に説明したが、本発明は上述した実施形態にのみ限定されるものではなく、本発明の範囲内で変更などが可能である。
本実施形態では、隔壁部１６から突出する突起部１８が基板３５の挿入孔３８に挿入されることで、フレーム１１が基板３５を係止する場合について説明したが、この場合に限られない。すなわち、フレーム１１は基板３５との間で少なくとも一部が係止されていれば、どのような構成であってもよい。
【符号の説明】
【００４４】
１０：イメージセンサユニット  １１：フレーム  １２：導光体収容部  １４：集光体収容部  １５：基板収容部  １６：隔壁部  １８：突起部  ２０：導光体  ２１：入射面  ２２：出射面  ２４：係止突部  ３０：光源  ３３：リード端子  ３５：基板  ３６：端子孔  ３７：係止孔  ３８：挿入孔  ４０：イメージセンサ  ４２：集光体  １００：ＭＦＰ（画像読取装置、画像形成装置）  １０２：画像読取部  １１３：画像形成部
【図１】
2017175289.tif 000003
【図２】
2017175289.tif 000004
【図３】
2017175289.tif 000005
【図４】
2017175289.tif 000006
【図５】
2017175289.tif 000007
【図６】
2017175289.tif 000008
【図７Ａ】
2017175289.tif 000009
【図７Ｂ】
2017175289.tif 000010
【図８】
2017175289.tif 000011
【図９】
2017175289.tif 000012